(57)【要約】  梱包部材は、被梱包物の上部に配置される第１上部緩衝材と、被梱包物の側部に配置される補強部材と、被梱包物の下部に配置され、補強部材を連結する下部緩衝材と、補強部材に設けられ、第１上部緩衝材を連結する連結部材とを備える。
2020202533.tif 000002
【特許請求の範囲】
【請求項１】
被梱包物の上部に配置される第１上部緩衝材と、
前記被梱包物の側部に配置される補強部材と、
前記被梱包物の下部に配置され、前記補強部材を連結する下部緩衝材と、
前記補強部材に設けられ、前記第１上部緩衝材を連結する連結部材と
を備えた
梱包部材。
【請求項２】
前記連結部材は、前記補強部材の上端の中心に設けられている
請求項１に記載の梱包部材。
【請求項３】
前記連結部材は、前記補強部材から突出している突起であり、
前記第１上部緩衝材は、前記突起と係合する溝を有している
請求項１又は２に記載の梱包部材。
【請求項４】
前記第１上部緩衝材の両端に設けられた一対の第２上部緩衝材
を更に備えた
請求項１〜３のいずれか一項に記載の梱包部材。
【請求項５】
前記補強部材は、外枠を有し、
前記連結部材は、前記外枠に設けられており、
前記第１上部緩衝材は、前記外枠が載置される載置部を前記溝の外側に有する
請求項１〜４のいずれか一項に記載の梱包部材。
【請求項６】
前記外枠の上面の位置は、前記第１上部緩衝材の上面の位置と同一位置にある
請求項５に記載の梱包部材。
【発明の詳細な説明】
【技術分野】
【０００１】
本発明は、被梱包物の梱包に用いられる梱包部材に関する。
【背景技術】
【０００２】
特許文献１では、外力等から空気調和機の側面を保護する補強部材として、木製の柱を用いた梱包部材が開示されている。
【先行技術文献】
【特許文献】
【０００３】
【特許文献１】実開平０３−０６４２５３号公報
【発明の概要】
【発明が解決しようとする課題】
【０００４】
特許文献１では、柱の上端は、空気調和機の天面に配置される緩衝材と、緩衝材及び空気調和機の天面を覆う蓋体との間に挟持されているが、緩衝材にも蓋体にも固定されていない。したがって、梱包作業時及び梱包解体時において、蓋体が取り外された状態においては、外力等により補強部材が倒れ、補強部材又は空気調和機の破損が生じる可能性があった。【０００５】
本発明は、上述の課題を解決するものであり、補強部材が倒れるのを抑制することが可能な梱包部材を提供することを目的とする。
【課題を解決するための手段】
【０００６】
本発明の梱包部材は、被梱包物の上部に配置される第１上部緩衝材と、前記被梱包物の側面に配置される補強部材と、前記被梱包物の下部に配置され、前記補強部材を連結する下部緩衝材と、前記補強部材に設けられ、前記第１上部緩衝材を連結する連結部材とを備える。
【発明の効果】
【０００７】
本発明では、補強部材に連結部材を設けることにより、外力等により補強部材が倒れることを防止できる。したがって、本発明では、補強部材が倒れることにより補強部材又は被梱包物が破損することを防止できる。
【図面の簡単な説明】
【０００８】
【図１】実施の形態に係る梱包部材に梱包される被梱包物の一例として、冷凍サイクル装置の室外機の外観構造を示した斜視図である。
【図２】実施の形態に係る梱包部材を用いた室外機の梱包例を概略的に示した斜視図である。
【図３】図２の梱包部材の分解斜視図である
【図４】実施の形態に係る補強部材の上面図である。
【図５】図４のＡ−Ａ断面を示した断面図である。
【図６】実施の形態に係る第１上面緩衝材の上面図である。
【図７】図６のＢ−Ｂ断面を示した断面図である。
【図８】図４のＡ−Ａ断面と、図６のＢ−Ｂ断面とを組み合わせた断面図である。
【発明を実施するための形態】
【０００９】
実施の形態に係る梱包部材１に梱包される被梱包物の一例として、冷凍サイクル装置の室外機１００について、図１を用いて説明する。図１は、実施の形態に係る梱包部材１に梱包される被梱包物の一例として、冷凍サイクル装置の室外機１００の外観構造を示した斜視図である。なお、図１を含む以下の図面においては、各構成部材の寸法の関係及び形状は、実際のものとは異なる場合がある。また、図１を含む以下の図面では、同一の部材若しくは部分又は同一の機能を有する部材若しくは部分には、同一の符号を付すか、又は符号を付すことを省略している。また、室外機１００の各構成部材同士の位置関係、例えば、上下、左右、前後等の位置関係は、原則として、室外機１００を使用可能な状態に設置したときの位置関係とする。
【００１０】
図１に示すように、室外機１００は、外郭パネル１１０を有し、外郭パネル１１０により、室外機１００の外郭の一部が形成されている。また、室外機１００は、高さ方向に延在する４つの辺にそれぞれ取手部１２０を有している。取手部１２０は、室外機１００の搬送時に、作業者が室外機１００を把持するために用いられる。
【００１１】
図１に示すように、外郭パネル１１０は、天面パネル１１０ａを有している。また、外郭パネル１１０は、底面パネル１１０ｂを有している。また、外郭パネル１１０は、サービスパネル１１０ｄを有している。外郭パネル１１０は、右側面パネル１１０ｅを有している。また、外郭パネル１１０は、左側面パネル１１０ｆを有している。また、外郭パネル１１０は、第１カバーパネル１１０ｇを有している。また、外郭パネル１１０は、第２カバーパネル１１０ｈを有している。
【００１２】
天面パネル１１０ａは、室外機１００の天面を形成する板金パネルである。天面パネル１１０ａは、ネジ止め等により、前面パネル１１０ｃ、右側面パネル１１０ｅ、及び左側面パネル１１０ｆの上側に取り付けられる。
【００１３】
底面パネル１１０ｂは、室外機１００の底面を形成する板金パネルである。図１に示すように、底面パネル１１０ｂは、複数の固定脚１３０を有しており、ネジ止め等により底面パネル１１０ｂに取り付けられている。複数の固定脚１３０は、それぞれ、室外機１００を設置場所に固定するための取付穴１３０ａを有している。室外機１００は、例えば、ネジ止め等により、取付穴１３０ａを介してコンクリートブロック等に固定される。
【００１４】
前面パネル１１０ｃは、例えば、室外機１００の設置時における室外機１００の左正面を形成する板金パネルである。前面パネル１１０ｃは、ネジ止め等により、底面パネル１１０ｂに取り付けられている。前面パネル１１０ｃには、室外機１００の内部空間と外部空間とを連通する排気口１１０ｃ１が設けられている。また、前面パネル１１０ｃは、室外機１００の外部に配置され、排気口１１０ｃ１を覆うグリル１４０を有している。また、前面パネル１１０ｃは、排気口１１０ｃ１の周縁部から室外機１００の内部に突出した周縁面を有し、排気口１１０ｃ１から室外ファン１５０へ連通する風路を形成するベルマウス１６０を有している。なお、室外ファン１５０は、室外機１００の内部に収容されている。室外ファン１５０としては、例えばプロペラファン等の軸流ファンが用いられる。
【００１５】
サービスパネル１１０ｄは、室外機１００の設置時における室外機１００の右前方上側の側面を形成する、上面視においてＬ字形状の板金パネルである。サービスパネル１１０ｄには、取手部１２０が形成されている。サービスパネル１１０ｄは、室外機１００の内部のメンテナンスが可能なように、ネジ止め等により、天面パネル１１０ａの下側、右側面パネル１１０ｅの前側、及び第１カバーパネル１１０ｇの上側に着脱可能に取り付けられている。室外機１００において、室外機１００の据え付け、修理、又は撤去等の現地作業は、少なくともサービスパネル１１０ｄを取り外した状態にて行われる。
【００１６】
右側面パネル１１０ｅは、室外機１００の設置時における室外機１００の右後方上側の側面を形成する、上面視においてＬ字形状の板金パネルである。右側面パネル１１０ｅには、取手部１２０が形成されている。右側面パネル１１０ｅは、ネジ止め等により、第２カバーパネル１１０ｈの上に取り付けられている。
【００１７】
左側面パネル１１０ｆは、室外機１００の設置時における室外機１００の左面を形成する、上面視においてＵ字形状の板金パネルである。左側面パネル１１０ｆの前縁部には、取手部１２０が形成されている。また、図示しないが、左側面パネル１１０ｆの後縁部にも、取手部１２０が形成されている。また、図示しないが、左側面パネル１１０ｆには、室外機１００の内部空間と外部空間とを連通する複数の通気口が形成されている。左側面パネル１１０ｆは、ネジ止め等により、底面パネル１１０ｂの上側及び前面パネル１１０ｃの左側に取り付けられている。なお、左側面パネル１１０ｆは、前面パネル１１０ｃと一体形成されていてもよい。
【００１８】
第１カバーパネル１１０ｇは、室外機１００の設置時における室外機１００の右前方下側の側面を形成する、上面視においてＬ字形状の板金パネルである。第１カバーパネル１１０ｇは、１以上の開口部１１０ｇ１を有しており、図示しないが、例えば、室内機に接続された電力線又は延長配管は、当該開口部１１０ｇ１を介して、室外機１００の内部に引き込まれる。第１カバーパネル１１０ｇは、ネジ止め等により、底面パネル１１０ｂの上側及び第２カバーパネル１１０ｈの前側に取り付けられている。
【００１９】
第２カバーパネル１１０ｈは、室外機１００の設置時における室外機１００の右後方下側の側面を形成する、上面視においてＬ字形状の板金パネルである。第２カバーパネル１１０ｈは、ネジ止め等により、底面パネル１１０ｂの上側に取り付けられている。なお、第２カバーパネル１１０ｈは、右側面パネル１１０ｅ及び第１カバーパネル１１０ｇの一方又は双方と一体形成されていてもよい。
【００２０】
また、図示しないが、冷凍サイクル装置においては、室外機１００は、配管を介して室内機に接続される。室外機１００及び室内機には、当該配管を介して冷媒を循環させる冷媒回路が形成される。室外機１００は、当該配管を介して、室内機に高温又は低温の冷媒を供給する。なお、室外機１００の内部には、上述した室外ファン１５０の他、図示しないが、熱交換器及び圧縮機等、冷媒回路に配置される機器が収容されている。
【００２１】
次に、室外機１００を梱包する梱包部材１について説明する。図２は、実施の形態に係る梱包部材１を用いた室外機１００の梱包例を概略的に示した斜視図である。図２では、説明のために、被梱包物の一例として、図１の室外機１００の概略的な形状を点線で示している。
【００２２】
図２に示すように、梱包部材１は、例えば、上下方向に巻回された結束バンド２０によって、室外機１００に固定される。結束バンド２０としては、例えば、ポリプロピレン製の、いわゆるＰＰバンドが用いられる。
【００２３】
図３は、図２の梱包部材１の分解斜視図である。図２又は図３に示すように、梱包部材１は、室外機１００の上部に配置される上部緩衝材３と、室外機１００の側部に配置される補強部材５と、室外機１００の下部に配置される下部緩衝材９とを有している。また、梱包部材１は、上部緩衝材３の上部に配置され、上部緩衝材３を内部に収容する上部蓋体１０ａと、補強部材５の側部に配置され、補強部材５を内部に収容する包囲部材１０ｂとを有している。
【００２４】
上部緩衝材３は、室外機１００の天面パネル１１０ａを直接覆い、上方からの外力等から室外機１００の上部を保護している。図３では、上部緩衝材３は、室外機１００の天面パネル１１０ａと上部蓋体１０ａとの間に配置することができる。上部緩衝材３の材料としては、例えば、発泡スチロール等の発泡プラスチックが用いられる。
【００２５】
上部緩衝材３は、室外機１００の天面と天面側の側面の上方とに跨がって配置されている。上部緩衝材３は、例えば図３に示すように、天面パネル１１０ａの中央に設けられた第１上部緩衝材３１と、天面パネル１１０ａの両端に設けられた第２上部緩衝材３３とを有している。例えば、一対の第２上部緩衝材３３は、第１上部緩衝材３１から離間して配置される。この構成によれば、上部緩衝材３の原材料の低減を図ることができるため、室外機１００の梱包に係るコストを低減できる。
【００２６】
なお、上部緩衝材３は、上方からの外力等から室外機１００の上部を保護できるものであれば、第１上部緩衝材３１のみを有する構成とし、天面パネル１１０ａの全部を覆うようにしてもよい。
【００２７】
補強部材５は、室外機１００の側部と包囲部材１０ｂとの間に配置されている。例えば、図３では、補強部材５は、室外機１００の側面のうち、面積の広い方の一対の側面を保護するように、室外機１００の一対の側面の各々と包囲部材１０ｂとの間に配置されている。なお、補強部材５は、室外機１００の４つの側面のうち、１つの面のみを保護するように、室外機１００の側部と包囲部材１０ｂとの間に配置してもよい。
【００２８】
補強部材５は、例えば、外枠５１を有している。また、補強部材５には、外枠５１の強度を補強する１以上の梁５３を設けることができる。外枠５１及び梁５３は、例えばベニヤ板等の木材で形成される。この構成によれば、補強部材５の原材料の低減を図ることができるため、室外機１００の梱包に係るコストを低減できる。
【００２９】
また、補強部材５の下部は、下部緩衝材９に取り付けられている。図３では、補強部材５は、補強部材５を下部緩衝材９に連結させる複数の支持脚５５を有している。図３では、複数の支持脚５５は、外枠５１の下枠５１ａの両端に配置されている。なお、補強部材５が、下部緩衝材９に安定して保持される状態であれば、複数の支持脚５５は１つのみとしてもよいし、省略してもよい。
【００３０】
下部緩衝材９は、室外機１００の下部を外力等から保護する直方体形状の保護部材９ａと、保護部材９ａを収容する直方体形状の下部蓋体９ｂとを有している。
【００３１】
保護部材９ａは、発泡スチロール等の発泡プラスチックを用いて形成され、底面パネル１１０ｂと固定脚１３０とを外力等から保護している。また、保護部材９ａには、補強部材５の支持脚５５を連結させる複数の連結孔９ａ１を有している。なお、保護部材９ａは、木型又は金型等によって打ち抜き加工された段ボール等の梱包用素材に、曲げ加工及び接合等を施すことによって形成してもよい。
【００３２】
下部蓋体９ｂは、例えば、木材製の板材を組み合わせた枠体として形成され、室外機１００の底部の側が開口して配置されている。なお、下部蓋体９ｂは、段ボール等で形成してもよい。また、保護部材９ａ及び下部蓋体９ｂを段ボールとした場合は、保護部材９ａは、下部蓋体９ｂと一体形成したものでもよい。
【００３３】
上部蓋体１０ａは、直方体形状に形成されており、室外機１００の上部の側が開口して配置されている。上部蓋体１０ａは、例えば、木型又は金型等によって打ち抜き加工された段ボール等の梱包用素材に、曲げ加工及び接合等を施すことによって形成される。
【００３４】
包囲部材１０ｂは、直方体形状に形成され、一対の面が開口している。包囲部材１０ｂは、室外機１００の４つの側面を覆い、室外機１００の天面側及び底面側が開口するように配置される。包囲部材１０ｂは、例えば、木型又は金型等によって打ち抜き加工された段ボール等の梱包用素材を１つ作製し、曲げ加工及び接着剤又はステープラ等による接合を施すことによって形成される。なお、被梱包物が室外機１００等の大型の被梱包物である場合、４つの梱包用素材を作製し、梱包用素材を接着剤又はステープラ等で接合して形成してもよい。
【００３５】
なお、外包材１０は、上述の物に限られず、被梱包物の大きさ及び重量等に応じて、異なる外包材１０を採用できる。例えば、外包材１０は、上面と下面とにフラップを有する直方体形状の箱体として形成してもよいし、包囲部材１０ｂと一体形成し、一面が開口した箱体として形成してもよい。
【００３６】
図４は、実施の形態に係る補強部材５の上面図である。図５は、図４のＡ−Ａ断面を示した断面図である。図４及び図５に示すように、梱包部材１は、補強部材５に設けられ、第１上部緩衝材３１を連結する連結部材７を有している。連結部材７は、例えば、ベニヤ剤等の木材で形成される。連結部材７は、補強部材５と一体形成されたものでもよいし、別個の部材として形成し、ネジ止め等により固定されたものでもよい。補強部材５に連結部材７を設け、第１上部緩衝材３１を連結することにより、外力等の衝撃により補強部材５が倒れることを防止できるため、補強部材５が倒れることにより補強部材５又は室外機１００が破損することを防止できる。
【００３７】
連結部材７は、補強部材５の上端の中心に設けることができる。例えば、図４及び図５に示すように、連結部材７は、外枠５１の上枠５１ｂの中心に設けることができる。補強部材５の上端の中心に連結部材７を設け、第１上部緩衝材３１と補強部材５とを連結させることにより、補強部材５の重心部分を安定させて係止できるため、補強部材５又は室外機１００が破損することを簡易な方法で防止できる。
【００３８】
なお、連結部材７は、補強部材５の上端の中心に加えて、補強部材５の上端の両端に設けてもよい。
【００３９】
また、図５に示すように、外枠５１の上枠５１ｂと連結部材７とは、断面Ｌ字形状に結合されている。すなわち、連結部材７は、補強部材５から突出している突起として形成できる。
【００４０】
図６は、実施の形態に係る第１上部緩衝材３１の上面図である。図７は、図６のＢ−Ｂ断面を示した断面図である。図６及び図７に示すように、第１上部緩衝材３１は、連結部材７である突起と係合する溝３５を有している。溝３５は、例えば、第１上部緩衝材３１の両端又は一端に設け、連結部材７である突起と係合させることができる。溝３５は、第１上部緩衝材３１の両端又は一端と平行な方向に設けられた側壁３５ａの間に形成されている。上述の構成によれば、外力等により補強部材５が倒れることを防止できる。また、第１上部緩衝材３１が補強部材５に連結できることにより、第１上部緩衝材３１の位置を適切な位置、例えば、天面パネル１１０ａの中心に維持することができる。
【００４１】
従来、第１上部緩衝材３１の位置は、天面パネル１１０ａに設けられたネジ等の位置により位置決めされていた。しかし、天面パネル１１０ａにネジ等が設けられていない場合に、第１上部緩衝材３１を適切な位置に配置できなかった。
【００４２】
しかしながら、連結部材７である突起を係合させる溝３５が、第１上部緩衝材３１の末端と平行な方向に設けられた側壁３５ａの間に形成されることにより、第１上部緩衝材３１は、室外機１００の上部を移動することなく、室外機１００の上部に保持される。したがって、この構成によれば、第１上部緩衝材３１の位置を適切な位置に位置決めできるため、外力等から室外機１００の上部をより確実に保護できる。
【００４３】
なお、連結部材７である突起が、外枠５１の上枠５１ｂの両端に設けられた場合、第２上部緩衝材３３に連結部材７を係合させる溝３５を設けることができる。このとき、溝３５は、第１上部緩衝材３１と同様に、第２上部緩衝材３３の両端又は一端と平行な方向に設けられた側壁３５ａの間に形成される。
【００４４】
また、第１上部緩衝材３１には、外枠５１の上枠５１ｂが載置される載置部３７を溝３５の外側に設けることができる。第１上部緩衝材３１に外枠５１の上枠５１ｂが載置される載置部３７を設けることにより、外枠５１の上枠５１ｂを上部緩衝材３に嵌め込むことができるため、補強部材５が配置される室外機１００の側面に沿った方向の、補強部材５の移動を制限することができる。
【００４５】
図７に示すように、第１上部緩衝材３１においては、上部緩衝材３の上面から溝３５の底壁３５ｂまでの幅ｄ１は、上部緩衝材３の上面から載置部３７までの幅ｄ２よりも深くすることができる。
【００４６】
図８は、図４のＡ−Ａ断面と、図６のＢ−Ｂ断面とを組み合わせた断面図である。すなわち、図８では、溝３５、載置部３７、連結部材７、及び外枠５１の上枠５１ｂの位置関係が概略的に示されている。図８に示されるように、溝３５には連結部材７が係合され、載置部３７には外枠５１が係合される。また、図８に示されるように、外枠５１の上枠５１ｂの上面の位置は、第１上部緩衝材３１の上面の位置と同一位置にある。ここで、溝３５の幅ｄ１は、載置部３７の幅ｄ２よりも深いため、連結部材７は溝３５に確実に保持され、補強部材５が、上部緩衝材３から離れることを防止できる。したがって、この構成によれば、外力等により補強部材５が倒れることを防止できるため、補強部材５が倒れることにより補強部材５又は室外機１００が破損することをより確実に防止できる。
【００４７】
また、図８に示されるように、補強部材５は第１上部緩衝材３１の側面に配置されることにより、側方からの外力による衝撃は、補強部材５を介して第１上部緩衝材３１に伝わるため、室外機１００の側面への衝撃が低減される。したがって、補強部材５は第１上部緩衝材３１の側面に配置されることにより、室外機１００の側面を保護できる。
【００４８】
なお、上述の実施の形態においては、被梱包物の例として、冷凍サイクル装置の室外機１００を例示したが、被梱包物は室外機１００に限らず、大型の電気製品等を被梱包物とした場合であっても同様に適用可能である。
【符号の説明】
【００４９】
１  梱包部材、３  上部緩衝材、５  補強部材、７  連結部材、９  下部緩衝材、９ａ  保護部材、９ａ１  連結孔、９ｂ  下部蓋体、１０  外包材、１０ａ  上部蓋体、１０ｂ  包囲部材、２０  結束バンド、３１  第１上部緩衝材、３３  第２上部緩衝材、３５  溝、３５ａ  側壁、３５ｂ  底壁、３７  載置部、５１  外枠、５１ａ  下枠、５１ｂ  上枠、５３  梁、５５  支持脚、１００  室外機、１１０  外郭パネル、１１０ａ  天面パネル、１１０ｂ  底面パネル、１１０ｃ  前面パネル、１１０ｃ１  排気口、１１０ｄ  サービスパネル、１１０ｅ  右側面パネル、１１０ｆ  左側面パネル、１１０ｇ  第１カバーパネル、１１０ｇ１  開口部、１１０ｈ  第２カバーパネル、１２０  取手部、１３０  固定脚、１３０ａ  取付穴、１４０  グリル、１５０  室外ファン、１６０  ベルマウス。
【図１】
2020202533.tif 000003
【図２】
2020202533.tif 000004
【図３】
2020202533.tif 000005
【図４】
2020202533.tif 000006
【図５】
2020202533.tif 000007
【図６】
2020202533.tif 000008
【図７】
2020202533.tif 000009
【図８】
2020202533.tif 000010
【手続補正書】
【提出日】令和3年4月20日(2021.4.20)
【手続補正１】
【補正対象書類名】明細書
【補正対象項目名】０００６
【補正方法】変更
【補正の内容】
【０００６】
本発明の梱包部材は、被梱包物の上部に配置される第１上部緩衝材と、前記被梱包物の側部に配置され、外枠を有する補強部材と、前記被梱包物の下部に配置され、前記補強部材を連結する下部緩衝材と、前記補強部材の前記外枠に設けられ、前記第１上部緩衝材を連結する連結部材とを備え、前記第１上部緩衝材は、前記連結部材と係合する溝と、前記溝の外側に設けられ、前記外枠が載置される載置部とを有する。
【手続補正２】
【補正対象書類名】特許請求の範囲
【補正対象項目名】全文
【補正方法】変更
【補正の内容】
【特許請求の範囲】
【請求項１】
被梱包物の上部に配置される第１上部緩衝材と、
前記被梱包物の側部に配置され、外枠を有する補強部材と、
前記被梱包物の下部に配置され、前記補強部材を連結する下部緩衝材と、
前記補強部材の前記外枠に設けられ、前記第１上部緩衝材を連結する連結部材と
を備え、
前記第１上部緩衝材は、
前記連結部材と係合する溝と、
前記溝の外側に設けられ、前記外枠が載置される載置部と
を有する
梱包部材。
【請求項２】
前記連結部材は、前記補強部材の上端の中心に設けられている
請求項１に記載の梱包部材。
【請求項３】
前記連結部材は、前記補強部材から突出している突起である
請求項１又は２に記載の梱包部材。
【請求項４】
前記第１上部緩衝材の両端に設けられた一対の第２上部緩衝材
を更に備えた
請求項１〜３のいずれか一項に記載の梱包部材。
【請求項５】
前記外枠の上面の位置は、前記第１上部緩衝材の上面の位置と同一位置にある
請求項１〜４のいずれか一項に記載の梱包部材。
【国際調査報告】
2020202533.tif 000011
2020202533.tif 000012
2020202533.tif 000013
2020202533.tif 000014